(57)【要約】      （修正有）【課題】糊箱の洗浄作業の負担を大幅に軽減できると共に、糊箱の損傷を効果的に防止することができ、また糊箱用被着シートを糊箱に被着させた状態で糊箱への糊上げローラーの脱着を容易に行うことができる糊箱用被着シート及び壁紙自動糊付機用の糊箱を提供する。【解決手段】壁紙自動糊付機に備える糊箱２に被着させて使用する糊箱用被着シート３であって、上方へ開放した箱型で構成されると共に、糊箱２の内面と被着する内面被着部３１と、内面被着部３１の更に上方へと延出されて糊箱２の外面と被着する外面被着部３２とを備え、内面被着部３１は、その外面側に糊箱２の内面と被着する粘着テープＴを備え、且つ外面被着部３２は、糊箱２の開口部上端に沿って外側に折り曲げた時の内面側に糊箱２の外面と被着する粘着テープＴを備える。【選択図】図３
2015142972.tif 000002
【特許請求の範囲】
【請求項１】
壁紙自動糊付機に備える糊箱に被着させて使用する糊箱用被着シートであって、上方へ開放した箱型で構成されると共に、前記糊箱の内面と被着する内面被着部と、該内面被着部の更に上方へと延出されて前記糊箱の外面と被着する外面被着部とを備え、前記内面被着部は、その外面側に前記糊箱の内面と被着する粘着テープを備え、且つ前記外面被着部は、前記糊箱の開口部上端に沿って外側に折り曲げた時の内面側に前記糊箱の外面と被着する粘着テープを備えることを特徴とする糊箱用被着シート。
【請求項２】
内面被着部には、糊上げローラーの両端が取り付けられる糊箱の凸状固定部を挿通させるための挿通用開口部を備え、該挿通用開口部の内側周縁に耐水性補強部材を設けてあると共に、前記挿通用開口部の外側周縁に耐水性の粘着テープを設けてあることを特徴とする請求項１に記載の糊箱用被着シート。
【請求項３】
軟質プラスチックシートで形成されることを特徴とする請求項１又は請求項２に記載の糊箱用被着シート。
【請求項４】
一対の対向する内面に糊上げローラーを取り付けるための凸状固定部を備える壁紙自動糊付機用の糊箱であって、請求項２又は３に記載の糊箱用被着シートの内面被着部を、粘着テープを介して糊箱の内面に被着させてあると共に、前記糊箱用被着シートの外面被着部を、前記糊箱の開口部上端に沿って外側に折り曲げて粘着テープを介して糊箱の外面に被着させてあり、且つ前記糊上げローラーを、糊箱用被着シートの挿通用開口部に挿通させた前記凸状固定部に取り付けてあることを特徴とする壁紙自動糊付機用の糊箱。
【発明の詳細な説明】
【技術分野】
【０００１】
本願発明は、壁紙自動糊付機に備える糊箱に使用される糊箱用被着シート及び該糊箱用被着シートを被着した壁紙自動糊付機用の糊箱に関する。
【背景技術】
【０００２】
従来、建築内装業界において壁装材（クロス）、即ち壁紙の裏面に自動的に所定量の糊を塗布する壁紙自動糊付機が用いられている。
この壁紙自動糊付機は、糊箱に備える糊上げローラー等の各種ローラーを本体内に内蔵している。そして、ロール状原反の壁紙を本体に挿入して、糊箱に貯め置かれる糊を糊上げローラー及び糊付けローラーを介して壁紙に転写することで、壁紙に糊を塗布する構造を備えている。
このような壁紙自動糊付機を示す従来技術としては、下記特許文献１、２がある。
【先行技術文献】
【特許文献】
【０００３】
【特許文献１】特開２００１−１７９１４９号公報
【特許文献２】特開２００４−３１４０２７号公報
【発明の概要】
【発明が解決しようとする課題】
【０００４】
上記特許文献１に示すような従来の壁紙自動糊付機においては、糊箱に糊を直接供給して貯め置く構成をとるものが一般的であった。よって壁紙自動糊付機を使用した後に、余った糊を糊箱から回収する糊回収作業と、糊箱に貯め置いた糊が付着固化しないように糊箱を洗浄する糊箱洗浄作業とが必須の作業となっていた。
このような糊回収作業や糊箱洗浄作業は、糊箱を持ち上げたり、ひっくり返したりして行うことから、かなりの時間や労力を費やす作業であった。加えて、壁紙を張り終えた後に最終作業として行うことから、職人にかなりの負担を与えるものとなっていた。更に新築マンションの現場等においては水道が開通していないことから、洗浄作業を行うことが一段と困難であるという問題があった。また既に糊箱に糊が付着固化していた場合には、地ベラ等の硬いヘラで糊箱をこする作業が必要となり、糊箱が傷つき易いという問題があった。
【０００５】
このような問題に対して、上記特許文献２に示すような、糊箱にカバーを取り付けることで糊の乾燥を防ぐと共に、使用後の洗浄の手間も減少させることができる技術があった。
しかし上記特許文献２は、カバーと糊上げローラーとの関係等の具体的な構成が全く開示されておらず、現実味のない技術であるという問題があった。
【０００６】
そこで本願発明は上記従来の課題を解決し、糊箱の洗浄作業の負担を大幅に軽減できると共に、糊箱の損傷を効果的に防止することができ、また糊箱用被着シートを糊箱に被着させた状態で、糊箱への糊上げローラーの脱着を容易に行うことができる糊箱用被着シート及び壁紙自動糊付機用の糊箱を提供することを課題とする。
【課題を解決するための手段】
【０００７】
本発明の糊箱用被着シートは、壁紙自動糊付機に備える糊箱に被着させて使用する糊箱用被着シートであって、上方へ開放した箱型で構成されると共に、前記糊箱の内面と被着する内面被着部と、該内面被着部の更に上方へと延出されて前記糊箱の外面と被着する外面被着部とを備え、前記内面被着部は、その外面側に前記糊箱の内面と被着する粘着テープを備え、且つ前記外面被着部は、前記糊箱の開口部上端に沿って外側に折り曲げた時の内面側に前記糊箱の外面と被着する粘着テープを備えることを第１の特徴としている。
【０００８】
上記本発明の第１の特徴によれば、糊箱用被着シートは、壁紙自動糊付機に備える糊箱に被着させて使用する糊箱用被着シートであって、上方へ開放した箱型で構成されると共に、前記糊箱の内面と被着する内面被着部と、該内面被着部の更に上方へと延出されて前記糊箱の外面と被着する外面被着部とを備え、前記内面被着部は、その外面側に前記糊箱の内面と被着する粘着テープを備え、且つ前記外面被着部は、前記糊箱の開口部上端に沿って外側に折り曲げた時の内面側に前記糊箱の外面と被着する粘着テープを備えることから、糊箱に糊が付着固化することを効果的に防止することができると共に、壁紙自動糊付機の使用後に糊箱から糊箱用被着シートを容易に剥がして廃棄することができる。よって糊箱の洗浄作業の負担を大幅に軽減することができる。
また糊箱に糊が付着固化することを効果的に防止できることで、地ベラ等の硬いヘラで糊箱をこする作業が不要となり、糊箱の損傷を効果的に防止することができる。
更に糊箱用被着シートを糊箱に被着させる被着工程を簡略化することができる。
【０００９】
また本発明の糊箱用被着シートは、上記本発明の第１の特徴に加えて、内面被着部には、糊上げローラーの両端が取り付けられる糊箱の凸状固定部を挿通させるための挿通用開口部を備え、該挿通用開口部の内側周縁に耐水性補強部材を設けてあると共に、前記挿通用開口部の外側周縁に耐水性の粘着テープを設けてあることを第２の特徴としている。
【００１０】
上記本発明の第２の特徴によれば、上記本発明の第１の特徴による作用効果に加えて、内面被着部には、糊上げローラーの両端が取り付けられる糊箱の凸状固定部を挿通させるための挿通用開口部を備え、該挿通用開口部の内側周縁に耐水性補強部材を設けてあると共に、前記挿通用開口部の外側周縁に耐水性の粘着テープを設けてあることから、糊箱用被着シートを糊箱に被着させた状態で、糊箱への糊上げローラーの脱着を容易に行うことができる。よって作業性の良い糊箱用被着シートとすることができる。
また糊箱用被着シートの挿通用開口部に糊箱の凸状固定部を挿通させるだけで、糊箱に対する糊箱用被着シートの位置決めを行うことができる。よって糊箱用被着シートを糊箱に被着させる際の位置決めが容易となり、被着工程を一段と簡略化することができる。
また挿通用開口部の内側周縁に耐水性補強部材を設けてあると共に、挿通用開口部の外側周縁に耐水性の粘着テープを設けてある構成とすることで、糊箱用被着シートを糊箱に被着させた後において、糊箱用被着シートにズレや損傷が生じることを効果的に防止することができる。
【００１１】
また本発明の糊箱用被着シートは、上記本発明の第１又は第２の特徴に加えて、軟質プラスチックシートで形成されることを第３の特徴としている。
【００１２】
上記本発明の第３の特徴によれば、上記本発明の第１又は第２の特徴による作用効果に加えて、糊箱用被着シートは軟質プラスチックシートで形成されることから、糊箱用被着シートの外面被着部を糊箱の開口部上端に沿って容易に折り曲げることができ、作業効率が良く、省コスト化が可能な糊箱用被着シートとすることができる。また、折り畳み可能な糊箱用被着シートとすることができ、運搬に便利であると共に、製品化した場合にパッケージ内に収納容易な糊箱用被着シートとすることができる。
【００１３】
また本発明の壁紙自動糊付機用の糊箱は、一対の対向する内面に糊上げローラーを取り付けるための凸状固定部を備える壁紙自動糊付機用の糊箱であって、上記第２又は第３の特徴に記載の糊箱用被着シートの内面被着部を、粘着テープを介して糊箱の内面に被着させてあると共に、前記糊箱用被着シートの外面被着部を、前記糊箱の開口部上端に沿って外側に折り曲げて粘着テープを介して糊箱の外面に被着させてあり、且つ前記糊上げローラーを、糊箱用被着シートの挿通用開口部に挿通させた前記凸状固定部に取り付けてあることを第４の特徴としている。
【００１４】
上記本発明の第４の特徴によれば、糊箱は、一対の対向する内面に糊上げローラーを固定するための凸状固定部を備える壁紙自動糊付機用の糊箱であって、上記第２又は第３の特徴に記載の糊箱用被着シートの内面被着部を、粘着テープを介して糊箱の内面に被着させてあると共に、前記糊箱用被着シートの外面被着部を、前記糊箱の開口部上端に沿って外側に折り曲げて粘着テープを介して糊箱の外面に被着させてあり、且つ前記糊上げローラーを、糊箱用被着シートの挿通用開口部に挿通させた前記凸状固定部に取り付けてあることから、糊箱に糊が付着固化することを効果的に防止することができると共に、壁紙自動糊付機の使用後に糊箱から糊箱用被着シートを容易に剥がして廃棄することができる。よって糊箱の洗浄作業の負担を大幅に軽減することができる。
また糊箱に糊が付着固化することを効果的に防止できることで、地ベラ等の硬いヘラで糊箱をこする作業が不要となり、糊箱の損傷を効果的に防止することができる。
また糊箱用被着シートを糊箱に被着させた状態で、糊箱に対する糊上げローラーの脱着を容易に行うことができる。
【発明の効果】
【００１５】
本発明の糊箱用被着シートによれば、糊箱の洗浄作業の負担を大幅に軽減できると共に、糊箱の損傷を効果的に防止することができる。また糊箱用被着シートを糊箱に被着させた状態で、糊箱への糊上げローラーの脱着を容易に行うことができる。
また本発明の壁紙自動糊付機用の糊箱によれば、糊箱の洗浄作業の負担を大幅に軽減できると共に、糊箱の損傷を効果的に防止することができる。また糊箱用被着シートを糊箱に被着させた状態で、糊箱への糊上げローラーの脱着を容易に行うことができる。
【図面の簡単な説明】
【００１６】
【図１】本発明の実施形態に係る糊箱用被着シート及び糊箱を備える壁紙自動糊付機を示す全体斜視図である。
【図２】本発明の実施形態に係る糊箱用被着シート及び糊箱を備える壁紙自動糊付機の構造の概要を示す摸式図である。
【図３】本発明の実施形態に係る糊箱用被着シート及び糊箱を示す斜視図で、（ａ）は糊箱用被着シートを糊箱に被着させる前の状態を示す図、（ｂ）は糊箱用被着シートを糊箱に被着させた後の状態を示す図である。
【図４】本発明の実施形態に係る糊箱用被着シート及び糊箱の要部を示す図で、（ａ）は糊箱用被着シートを糊箱に被着させる前の状態を示す図で、（ｂ）は糊箱用被着シートを糊箱に被着させた後の状態を示す図である。
【図５】糊箱用被着シートの製造工程を簡略化して示す図で、（ａ）は軟質プラスチックシートの原反から所定形状の構成パーツを切り抜いて配置した状態を示す平面図、（ｂ）は所定形状の構成パーツを組み立てる状態を示す図である。
【図６】従来の糊箱用被覆シートを示す図である。
【発明を実施するための形態】
【００１７】
以下、図面を参照して、本発明の実施形態に係る糊箱用被着シート及び該糊箱用被着シートと糊上げローラーとを備えてなる糊箱を説明して本発明の理解に供する。しかし、以下の説明は本発明の実施形態であって、特許請求の範囲に記載の内容を限定するものではない。
【００１８】
まず図１、図２を参照して、本発明の実施形態に係る糊箱用被着シート３及び糊箱用被着シート３と糊上げローラー６とを備えてなる糊箱２は、壁紙自動糊付機１内に内蔵されるものである。なお、図２は図１の白抜き矢印方向から壁紙自動糊付機１を見た場合における壁紙自動糊付機１の構造の概要を示す模式図である。また図２は、後述する粘着テープを省略して図示するものである。
【００１９】
前記壁紙自動糊付機１は、ロール状原反（図示しない）の壁紙Ｓ（クロス）を背面側（図２の右側）の挿入口から挿入し、糊上げローラー６を介して糊付けローラー７に転写された糊Ｎを壁紙Ｓの裏面に更に転写して、ナラシローラー９で糊面を均一にしながら正面側（図２の左側）の排出口から排出することで、自動的に壁紙Ｓに糊付けを行う機械である。
【００２０】
なお、図２に示すドクターローラー４は、糊付けローラー７の糊膜の厚みを調整するためのローラーである。またハイテンションローラー５及び押さえローラー８は、壁紙Ｓに適度なテンションを与えて糊付けを均一で精度の良いものとするためのものである。
【００２１】
図２に示すように、糊Ｎは、壁紙自動糊付機１の下部に設けられた上方が開放された略直方体形状の糊箱２に貯えられ、糊箱２の内側に取り付けられる糊上げローラー６の回転により持ち上げられて、糊付けローラー７に転写される。また糊Ｎを補給する際は、壁紙自動糊付機１の正面側（図２の左側）に糊箱２を一定量引き出し、上方にできる開口部から柄杓等を用いて糊Ｎを投入する。
また図３、図４に示すように、糊箱２には、その長手方向に対向する二つの側面の内面に、糊上げローラー６の両端を糊箱２に固定するための凸状固定部２１を設けてある。
なお糊箱２は、通常の壁紙自動糊付機と同様にアルミやステンレス等で形成されている。
【００２２】
また糊上げローラー６は、糊付けローラー７との間に一定の隙間をもって設置されて、図３に示す歯車Ｇを介して糊付けローラー７とは逆向きに回転する。そして、その回転により、周辺の糊Ｎが粘性によってローラー表面に引っ張られ糊付けローラー７へと誘導される。そして誘導された糊Ｎが糊付けローラー７へ転写され、更に糊付けローラー７から壁紙Ｓの裏面に転写される。なお、糊上げローラー６及び糊付けローラー７は、通常の壁紙自動糊付機と同様にアルミ等で形成されている。
【００２３】
また本発明の実施形態においては、図２〜図４に示すように、糊箱２に糊箱用被着シート３を被着させて備える構成としてある。
【００２４】
前記糊箱用被着シート３は、糊箱２の内面及び外面に被着されて、糊箱２に糊Ｎが付着固化することを防止するための、いわば保護シートとなるものである。
本実施形態においては、図３（ａ）に示すように、予め上方へ開放した箱型に成形された軟質プラスチックシートで糊箱用被着シート３を構成してある。より具体的には、図３に示すように、糊箱２内に配置した場合に、糊箱２の底面及び四つの側面の内面を被覆することができると共に、糊箱２の四つの側面の上端に沿って外側に折り曲げることができる領域を備える箱型形状に成形された糊箱用被着シート３とする構成してある。
なお軟質プラスチックシートとしては、例えばポリエチレンからなるビニールシート等を用いることができる。また軟質プラスチックシートの厚みは、０．０６ｍｍ程度とすることが望ましい。このような構成とすることで、十分な強度と折り畳み容易な糊箱用被着シート３とすることができる。また既存の壁紙自動糊付機１の糊箱２に後付けで装着しても、壁紙自動糊付機１の動作に支障が生じない糊箱用被着シート３とすることができる。
また軟質プラスチックシートの色は適宜選択可能である。
【００２５】
また箱型に成形された糊箱用被着シート３は、糊箱２の内面と被着する内面被着部３１と、内面被着部３１の更に上方へと延出されて糊箱２の外面と被着する外面被着部３２とを備える。具体的には、箱型の糊箱用被着シート３において、図３に一点鎖線で示す折り目線Ｂより下方に位置する底面及び四つの側面を内面被着部３１としてあり、折り目線Ｂより上方に位置する四つの側面を外面被着部３２としてある。
また本実施形態においては、図２、図３に示すように、外面被着部３２を構成する四面のうち、糊箱２における短手方向に対向する二つの側面（壁紙Ｓの挿入側及び排出側の側面）と被着する面の大きさは、糊箱２における短手方向に対向する二面の全てを被覆できる大きさとしてある。一方、外面被着部３２を構成する四面のうち、残る二面の大きさは、糊箱２における長手方向に対向する二つの側面の上部を被覆できる大きさとしてある。
更に図２に示すように、糊箱２における壁紙Ｓの排出側に配置される面の大きさは、糊箱２の側面及び底面の端部（角部）近傍を一体的に被覆できる大きさとしてある。なお、ここで「底面の端部（角部）近傍」とは、底面の端部（角部）から底面の内側に向かって５ｃｍ程度の範囲を意味するものである。
【００２６】
また本実施形態においては、図３に示すように、内面被着部３１及び外面被着部３２に、糊箱用被着シート３を糊箱２に着脱自在に取り付けるための粘着テープＴを複数設ける構成としてある。より具体的には、図３、図４に示すように、内面被着部３１には、その外面側に糊箱２の内面と被着する粘着テープＴを複数設けてある。また外面被着部３２には、糊箱２の開口部上端に沿って外側に折り曲げた時の内面側に糊箱２の外面と被着する粘着テープＴを複数設けてある。
なお、粘着テープＴの厚みは０．５ｍｍ程度とすることが望ましい。
また粘着テープＴの数、大きさ、形状等は、本実施形態のものに限るものではなく、適宜変更可能である。
【００２７】
一方、粘着テープＴを設ける位置は、糊箱用被着シート３を糊箱２に被着させた状態で糊箱用被着シート３にズレや撓みが生じない位置であることが必要である。具体的には、内面被着部３１においては、底面及び四つの側面に、それぞれ少なくとも一枚の粘着テープを設けることが必要である。また外面被着部３２においては、四つの側面に、それぞれ少なくとも一枚の粘着テープを設けることが必要である。
更に外面被着部３２においては、図３に簡略化して示すように、折り目線Ｂで外側に折り曲げて糊箱２の外面に被着させた際に下方先端部となる部分の近傍に設けることが望ましい。このようにすることで、糊箱用被着シート３にズレや撓みが生じることを一段と防止できるからである。
【００２８】
また本実施形態においては、図３、図４に示すように、内面被着部３１には、糊上げローラー６の両端を取り付けるための糊箱２の凸状固定部２１を挿通する挿通用開口部３１ａを設けてある。なお挿通用開口部３１ａの大きさは、凸状固定部２１を挿通させた際に凸状固定部２１との間に隙間が生じない大きさとしてある。
更に挿通用開口部３１ａの内側周縁に耐水性補強部材Ｈを設けてあると共に、挿通用開口部３１ａの外側周縁に耐水性の粘着テープＴ１を設けてある。なお本実施形態においては、耐水性補強部材Ｈとして耐水性の厚紙を用いると共に、図示しない粘着剤を介して挿通用開口部３１ａの内側周縁に耐水性の厚紙を貼り付ける構成としてある。
なお、耐水性補強部材Ｈの厚みは０．２２ｍｍ程度とすることが望ましい。また耐水性の粘着テープＴ１の厚みは０．５ｍｍ程度とすることが望ましい。
【００２９】
このような箱型の糊箱用被着シート３は、例えば以下の製造工程を経て製造することができる。
まず図５（ａ）に示すように、軟質プラスチックシートで形成される原紙（図示しない）から所定形状の構成パーツを切り抜く。この際、挿通用開口部３１ａも形成しておく。
なお、本実施形態においては、箱型の糊箱用被着シート３の底面及び底面と連通する短手方向に対向する二面を構成するパーツを第１構成パーツＰ１としてある。また箱型の糊箱用被着シート３の長手方向に対向する二面を構成するパーツを第２構成パーツＰ２としてある。
【００３０】
まず、図５（ａ）に一点鎖線で示す折り目線Ｂ１を第１構成パーツＰ１に形成する。
そして折り目線Ｂ１で第１構成パーツＰ１を内側に折り曲げる。
次に図５（ｂ）に示すように、第１構成パーツＰ１と第２構成パーツＰ２の所定位置を熱溶着で接着させる。ここで「所定位置」とは、図５（ａ）の矢印で示す対向する複数の辺を意味するものである。また熱溶着させる部分には、いわゆるのり代（図示していない）となる領域を形成しておくことが必要である。
【００３１】
図３も参照して、そして剥離紙を備える粘着テープＴ及び耐水性の粘着テープＴ１を所定位置に貼り付けると共に、耐水性の補強部材Ｈを所定位置に貼り付ける。
以上の工程により、本発明の実施形態に係る箱型の糊箱用被着シート３が製造される。
【００３２】
なお、このように製造される糊箱用被着シート３は、軟質プラスチックシートで形成されることから、糊箱２に装着するまでは任意の形状（平坦状が望ましい）に任意の回数折り畳んだ状態で保管する。
【００３３】
以上のような構成からなる糊箱用被着シート３を糊箱２内に仮置きした後、折り目線Ｂに沿って外面被着部３２を糊箱２の外側に折り曲げ、粘着テープＴ及び耐水性の粘着テープＴ１を介して糊箱用被着シート３を糊箱２に被着させることで、糊箱２に糊箱用被着シート３が装着される。更にその状態で、歯車Ｇを介して糊上げローラー６の長手方向端部を、挿通用開口部３１ａに挿通された凸状固定部２１に取り付けることで、糊上げローラー６が糊箱２に取り付けられる。これによって、本発明の実施形態に係る糊箱用被着シート３と糊上げローラー６とを備えてなる糊箱２が形成される。
【００３４】
このような構成からなる本発明の実施形態に係る糊箱用被着シート３及び糊箱用被着シート３と糊上げローラー６とを備えてなる糊箱２は、以下の効果を奏する。
【００３５】
内面被着部３１及び外面被着部３２を備えると共に、所定位置に粘着テープＴを備える箱型の糊箱用被着シート３を糊箱２に被着させる構成とすることで、糊箱２に糊Ｎが付着固化することを効果的に防止することができる。また壁紙自動糊付機１の使用後に糊箱２から糊箱用被着シート３を容易に剥がして廃棄することができるので、糊箱２の洗浄作業の負担を大幅に軽減することができる。従ってメンテナンスが容易な糊箱２とすることができる。
また糊箱２に糊Ｎが付着固化することを効果的に防止できることで、地ベラ等の硬いヘラで糊箱２をこする作業が不要となり、糊箱２の損傷を効果的に防止することができる。よって耐久性の高い糊箱２とすることができる。
【００３６】
更に糊箱２内に配置した場合に、糊箱２の底面及び四つの側面の内面を被覆することができると共に、糊箱２の四つの側面の上端に沿って外側に折り曲げることができる領域を備える箱型形状に成形された糊箱用被着シート３とすることで、糊箱用被着シート３を糊箱２内に配置して粘着テープの剥離紙を剥がすだけで、糊箱用被着シート３を糊箱２に容易に被着させることができる。よって、糊箱用被着シート３を糊箱２に被着させる被着工程を簡略化することができ、作業効率の良い糊箱用被着シート３とすることができる。
【００３７】
また外面被着部３２において、糊箱２における壁紙Ｓの排出側に配置される面の大きさを、糊箱２の側面及び底面の端部（角部）近傍を一体的に被覆できる大きさとすることで、特に糊Ｎの供給時や壁紙自動糊付機１から排出された壁紙Ｓ（糊Ｎ付き）を即座に折り曲げて折り目を付け、更に折り畳む等する際に糊Ｎが糊箱２に付着固化することを効果的に防止することができる。
【００３８】
また糊箱用被着シート３に、糊箱２の凸状固定部２１を挿通させる挿通用開口部３１ａを備える構成とすることで、糊箱用被着シート３を糊箱２に被着させた状態で、糊箱２への糊上げローラー６の脱着を容易に行うことができる。よって作業性の良い糊箱用被着シート３及び糊箱２とすることができる。
また使用後に糊箱用被着シート３を糊箱２に装着した状態で糊上げローラー６を取り外せることから、糊上げローラー６の洗浄時に糊箱２に糊Ｎが付着することを防止できると共に、糊箱２が損傷することを効果的に防止することができる。
また挿通用開口部３１ａに凸状固定部２１を挿通させるだけで、糊箱２に対する糊箱用被着シート３の位置決めを行うことができる。よって糊箱用被着シート３を糊箱２に被着させる際の位置決めが容易となり、被着工程を一段と簡略化することができる。
【００３９】
また挿通用開口部３１ａの内側周縁に耐水性補強部材Ｈを設けると共に、挿通用開口部３１ａの外側周縁に耐水性の粘着テープＴ１を設け、更に挿通用開口部３１ａの大きさを、凸状固定部２１を挿通させた際に凸状固定部２１との間に隙間が生じない大きさとすることで、挿通用開口部３１ａに凸状固定部２１がぴったり嵌り込んだ状態で、耐水性補強部材Ｈ及び耐水性の粘着テープＴ１を介して糊箱用被着シート３を糊箱２に被着させることができる。よって、使用時に糊箱用被着シート３にズレや損傷が生じることを効果的に防止することができる。
【００４０】
また軟質プラスチックシートで糊箱用被着シート３を形成することで、糊箱用被着シート３の外面被着部３２を糊箱２の開口部上端に沿って容易に折り曲げることができ、作業効率が良く、省コスト化が可能な糊箱用被着シート３とすることができる。
また糊箱２に装着するまでは任意の形状に折り畳んだ状態で保管、運搬することができるので、保管、運搬に便利であると共に、特に製品化した場合にパッケージ内に収納が容易な糊箱用被着シート３とすることができる。
【００４１】
また、軟質プラスチックシートを所定形状に切り抜いて形成した第１構成パーツＰ１と第２構成パーツＰ２とを熱溶着で接着させる構成とすることで、箱型を容易に形成することができ、製造効率の良い糊箱用被着シート３とすることができる。
【００４２】
従来の壁紙自動糊付機においては、糊箱に糊を直接供給して貯め置く構成をとるものが一般的であった。よって壁紙自動糊付機を使用した後に、余った糊を糊箱から回収する糊回収作業と、糊箱に貯め置いた糊が付着固化しないように糊箱を洗浄する糊箱洗浄作業とが必須の作業となっていた。このような糊回収作業や糊箱洗浄作業は、かなりの時間や労力を費やす作業であると共に、壁紙を張り終えた後に最終作業として行うことから、職人にかなりの負担を与えるものとなっていた。更に新築マンションの現場等においては水道が開通していないことから、洗浄作業を行うことが一段と困難であるという問題があった。また既に糊箱に糊が付着固化していた場合には、地ベラ等の硬いヘラで糊箱をこする作業が必要となり、糊箱が傷つき易いという問題があった。
【００４３】
このような問題に対して、上記特許文献２に示すような糊箱にビニールカバーを取り付けることで、糊の乾燥を防ぐと共に、使用後の洗浄の手間も減少させることができる技術が開発されていた。
具体的には、図６に示すように、糊箱２の内面を被覆する内面被覆部１１と外面を被覆する外面被覆部１２とを備えるビニール製の糊箱用被覆カバー１０に関する技術が開発されていた。
【００４４】
しかし、外面被覆部１２の一部を延出させた紐部１２ａを糊箱２の裏側で結ぶことで糊箱用被覆カバー１０を取り付ける構成であることから、使用時に糊箱用被覆カバー１０にズレが生じ易いという問題があった。
また糊箱用被覆カバー１０と糊上げローラーとの関係等の具体的な構成が全く示されておらず、現実味のない技術であるという問題があった。
【００４５】
従って、本発明の実施形態に係る糊箱用被着シート３及び糊箱用被着シート３と糊上げローラー６とを備える糊箱２の構成とすることで、糊箱２の洗浄作業の負担を大幅に軽減できると共に、糊箱２の損傷を効果的に防止することができる。また糊箱用被着シート３を糊箱２に被着させた状態で、糊箱２への糊上げローラー６の脱着を容易に行うことができる。
【００４６】
なお、糊箱２の形状、大きさは本発明の実施形態のものに限るものではなく、適宜変更可能である。また、それに合わせて糊箱用被着シート３の形状、大きさも適宜変更可能である。
【００４７】
また外面被着部３２の大きさも本実施形態のものに限るものではなく、適宜変更可能である。但し、糊箱２における壁紙Ｓの排出側に配置される面は、既述したように、少なくとも糊箱２の排出側の側面及び排出側の底面の端部（角部）近傍を一体的に被覆できる大きさとすることが必要である。糊箱２における壁紙Ｓの排出側の側面及び排出側の底面の端部近傍は、糊箱２を引き出して糊Ｎを供給する側であることから、糊Ｎが垂れ落ちる等して糊箱２に付着する可能性が高いからである。また糊箱２における壁紙Ｓの排出側の側面及び排出側の底面の端部近傍は、糊Ｎが付着した壁紙Ｓを排出する側であることから、糊Ｎが付着した壁紙Ｓに折り目を付ける等する際に糊Ｎが糊箱２に付着する可能性が高いからである。
【００４８】
糊箱用被着シート３の製造方法も、本実施形態のものに限るものではなく、適宜変更可能である。
【産業上の利用可能性】
【００４９】
本発明は建築内装業界において使用される壁紙自動糊付機に利用することができる。
【符号の説明】
【００５０】
１          壁紙自動糊付機
２          糊箱
３          糊箱用被着シート
４          ドクターローラー
５          ハイテンションローラー
６          糊上げローラー
７          糊付けローラー
８          押さえローラー
９          ナラシローラー
１０        糊箱用被覆シート
１１        内面被覆部
１２        外面被覆部
１２ａ      紐部
２１        凸状固定部
３１        内面被着部
３１ａ      挿通用開口部
３２        外面被着部
Ｂ          折り目線
Ｂ１        折り目線
Ｇ          歯車
Ｈ          耐水性補強部材
Ｎ          糊
Ｓ          壁紙
Ｔ          粘着テープ
Ｔ１        耐水性の粘着テープ
Ｐ１        第１構成パーツ
Ｐ２        第２構成パーツ
【図１】
2015142972.tif 000003
【図２】
2015142972.tif 000004
【図３】
2015142972.tif 000005
【図４】
2015142972.tif 000006
【図５】
2015142972.tif 000007
【図６】
2015142972.tif 000008